【手続補正書】
【提出日】平成16年10月14日(2004.10.14)
【手続補正１】
【補正対象書類名】明細書
【補正対象項目名】発明の名称
【補正方法】変更
【補正の内容】
【発明の名称】電子機器、情報処理方法、およびプログラム
【手続補正２】
【補正対象書類名】明細書
【補正対象項目名】特許請求の範囲
【補正方法】変更
【補正の内容】
【特許請求の範囲】
【請求項１】
表示部を有する電子機器において、
表示データに基づいて上記表示部に複数行の被選択データを表示すると共に、上記表示部の所定の行の位置にカーソルを表示し、
回転式選択手段によって上記カーソルを固定する一方、上記複数行のデータを列方向に移動させるようにしたことを特徴とする電子機器。
【請求項２】
請求項１において、
上記カーソルは、上記複数行の略中央の行の位置に表示するようにしたことを特徴とする電子機器。
【請求項３】
請求項１において、
上記カーソルは、上記所定の行の上記被選択データを囲む枠であることを特徴とする電子機器。
【請求項４】
請求項１において、
上記カーソルは、上記所定の行の上記被選択データの前側および／または後側のマーカであることを特徴とする電子機器。
【請求項５】
請求項１において、
上記カーソルは、上記所定の行の上記被選択データとその他の行の位置のデータとの階調を変えることによって表示されるようにしたことを特徴とする電子機器。
【請求項６】
表示データに基づいて複数行の被選択データを表示すると共に、所定の行の位置にカーソルを表示する表示手段と、
上記複数行の被選択データを列方向に移動させる移動操作手段と、
固定表示されている上記カーソルの表示領域と重なる上記被選択データを選択対象とする選択手段と有することを特徴とする電子機器。
【請求項７】
表示データに基づいて複数行の被選択データを表示すると共に、所定領域と重なる上記被選択データの表示を変化させて表示する表示手段と、
上記複数行の被選択データを列方向に移動させる移動操作手段と、
固定されている上記所定領域と重なる上記被選択データを選択対象とする選択手段と有することを特徴とする電子機器。
【請求項８】
表示部を有する電子機器の情報処理方法において、
表示データに基づいて上記表示部に複数行の被選択データを表示すると共に、上記表示部の所定の行の位置にカーソルを表示し、
回転式選択操作部の操作に応じて上記複数行の被選択データを列方向に移動させ、
上記カーソルに重なる上記被選択データを選択対象として選択するようにしたことを特徴とする情報処理方法。
【請求項９】
請求項８において、
上記カーソルは、上記複数行の略中央の行の位置に表示するようにしたことを特徴とする情報処理方法。
【請求項１０】
請求項８において、
上記カーソルは、上記所定の行の上記被選択データを囲む枠であることを特徴とする情報処理方法。
【請求項１１】
請求項８において、
上記カーソルは、上記所定の行の上記被選択データの前側および／または後側のマーカであることを特徴とする情報処理方法。
【請求項１２】
請求項８において、
上記カーソルは、上記所定の行の上記被選択データとその他の行の位置のデータとの階調を変えることによって表示されるようにしたことを特徴とする情報処理方法。
【請求項１３】
表示データに基づいて複数行の被選択データを表示すると共に、表示部の所定の行の位置にカーソルを表示する表示ステップと、
移動操作に応じて上記複数行のデータを列方向に移動させる移動ステップと、
選択操作に応じて固定表示されている上記カーソルの表示領域と重なる上記被選択データを選択とする選択ステップと有することを特徴とする情報処理方法。
【請求項１４】
表示データに基づいて複数行の被選択データを表示すると共に、所定領域と重なる上記被選択データの表示を変化させて表示する表示ステップと、
移動操作に応じて上記複数行のデータを列方向に移動させる移動ステップと、
選択操作に応じて固定されている上記所定領域と重なる上記被選択データを選択する選択ステップと有することを特徴とする情報処理方法。
【請求項１５】
表示データに基づいて複数行の被選択データを表示すると共に、上記表示部の所定の行の位置にカーソルを表示する表示ステップと、
移動操作に応じて上記複数行のデータを列方向に移動させる移動ステップと、
選択操作に応じて固定表示されている上記カーソルの表示領域と重なる上記被選択データを選択とする選択ステップとを電子機器に実行させるプログラム。
【請求項１６】
表示データに基づいて複数行の被選択データを表示すると共に、所定領域と重なる上記被選択データの表示を変化させて表示する表示ステップと、
移動操作に応じて上記複数行のデータを列方向に移動させる移動ステップと、
選択操作に応じて固定されている上記所定領域と重なる上記被選択データを選択する選択ステップとを電子機器に実行させるプログラム。
【手続補正３】
【補正対象書類名】明細書
【補正対象項目名】０００１
【補正方法】変更
【補正の内容】
【０００１】
【発明の属する技術分野】
この発明は、表示部と回転式選択手段を有する電子機器、例えば携帯電話機に関する。また、この発明は、電子機器に適用して好適な情報処理方法、およびプログラムに関する。
【手続補正４】
【補正対象書類名】明細書
【補正対象項目名】０００７
【補正方法】変更
【補正の内容】
【０００７】
従って、この発明の目的は、アルゴリズムも容易で、操作もわかりすく、時間のかからないスクロールを行うことができる電子機器、情報処理方法、およびプログラムを提供することにある。
【手続補正５】
【補正対象書類名】明細書
【補正対象項目名】０００８
【補正方法】変更
【補正の内容】
【０００８】
【課題を解決するための手段】
請求項１に記載の発明は、表示部を有する電子機器において、表示データに基づいて表示部に複数行の被選択データを表示すると共に、表示部の所定の行の位置にカーソルを表示し、回転式選択手段によってカーソルを固定する一方、複数行のデータを列方向に移動させるようにしたことを特徴とする電子機器である。
請求項６に記載の発明は、表示データに基づいて複数行の被選択データを表示すると共に、所定の行の位置にカーソルを表示する表示手段と、複数行の被選択データを列方向に移動させる移動操作手段と、固定表示されているカーソルの表示領域と重なる被選択データを選択対象とする選択手段と有することを特徴とする電子機器である。
請求項７に記載の発明は、表示データに基づいて複数行の被選択データを表示すると共に、所定領域と重なる被選択データの表示を変化させて表示する表示手段と、複数行の被選択データを列方向に移動させる移動操作手段と、固定されている所定領域と重なる被選択データを選択対象とする選択手段と有することを特徴とする電子機器である。
請求項８に記載の発明は、表示部を有する電子機器の情報処理方法おいて、表示データに基づいて表示部に複数行の被選択データを表示すると共に、表示部の所定の行の位置にカーソルを表示し、回転式選択操作部の操作に応じて複数行の被選択データを列方向に移動させ、カーソルに重なる被選択データを選択対象として選択するようにしたことを特徴とする情報処理方法である。
請求項１３に記載の発明は、表示データに基づいて複数行の被選択データを表示すると共に、表示部の所定の行の位置にカーソルを表示する表示ステップと、移動操作に応じて複数行のデータを列方向に移動させる移動ステップと、選択操作に応じて固定表示されているカーソルの表示領域と重なる被選択データを選択とする選択ステップと有することを特徴とする情報処理方法である。
請求項１４に記載の発明は、表示データに基づいて複数行の被選択データを表示すると共に、所定領域と重なる被選択データの表示を変化させて表示する表示ステップと、移動操作に応じて複数行のデータを列方向に移動させる移動ステップと、選択操作に応じて固定されている所定領域と重なる被選択データを選択する選択ステップと有することを特徴とする情報処理方法である。
請求項１５に記載の発明は、表示データに基づいて複数行の被選択データを表示すると共に、表示部の所定の行の位置にカーソルを表示する表示ステップと、移動操作に応じて複数行のデータを列方向に移動させる移動ステップと、選択操作に応じて固定表示されているカーソルの表示領域と重なる被選択データを選択とする選択ステップとを電子機器に実行させるプログラムである。
請求項１６に記載の発明は、表示データに基づいて複数行の被選択データを表示すると共に、所定領域と重なる被選択データの表示を変化させて表示する表示ステップと、移動操作に応じて複数行のデータを列方向に移動させる移動ステップと、選択操作に応じて固定されている所定領域と重なる被選択データを選択する選択ステップとを電子機器に実行させるプログラムである。